(57)【要約】【課題】しわや原稿詰まりの発生を事前に防止することができるとともに、ユーザにとって使いやすい潜り込み排紙が可能な原稿読取装置を提供する。【解決手段】既に排出された原稿の下に後の原稿を順に潜り込ませるように排出することが可能な原稿読取装置１であって、原稿を載置する供給トレイ１０と、原稿が排出される排出トレイ２０と、原稿を供給トレイ１０から読取位置Ｒを経て排出トレイ２０に搬送する搬送機構と、排出トレイ２０に排出された原稿を検知する排紙検知センサ２３と、搬送機構の駆動を制御して原稿の読取動作を制御する制御装置４とを備えている。制御装置４は、読取開始指示が入力されたときに、排紙検知センサ２３の検知に基づき、原稿が排出トレイ２０上にないと判断される場合は、原稿の読取動作を開始するとともに、原稿が排出トレイ２０上にあると判断される場合は、原稿の読取動作を開始しない。【選択図】図１
2010076899.tif 000002
【特許請求の範囲】
【請求項１】
既に排出された原稿の下に後の原稿を順に潜り込ませるように排出することが可能な原稿読取装置であって、
原稿を載置する供給トレイと、
原稿が排出される排出トレイと、
原稿を前記供給トレイから読取位置を経て前記排出トレイに搬送する搬送機構と、
前記排出トレイに排出された原稿を検知する排紙検知センサと、
前記搬送機構の駆動を制御して原稿の読取動作を制御する制御装置とを備え、
前記制御装置は、
読取開始指示が入力されたときに、前記排紙検知センサの検知に基づき、
原稿が前記排出トレイ上にないと判断される場合は、原稿の読取動作を開始するとともに、
原稿が前記排出トレイ上にあると判断される場合は、原稿の読取動作を開始しないことを特徴とする原稿読取装置。
【請求項２】
前記供給トレイに載置された原稿を検知する給紙検知センサと、
ユーザにメッセージを報知する報知手段とを備え、
前記制御装置は、
読取開始指示が入力されたときに、前記給紙検知センサおよび前記排紙検知センサの検知に基づき、
原稿が前記供給トレイ上にあり、かつ、原稿が前記排出トレイ上にあると判断される場合は、原稿の読取動作を開始しないとともに、
原稿が前記供給トレイ上になく、かつ、原稿が前記排出トレイ上にあると判断される場合は、前記報知手段に原稿が前記排出トレイ上にある旨のメッセージを報知させることを特徴とする請求項１に記載の原稿読取装置。
【請求項３】
前記供給トレイに載置された原稿を検知する給紙検知センサと、
前記供給トレイとは別に設けられ、原稿を載置する原稿台と、
前記原稿台に載置された原稿を走査して読み取る読取装置とを備え、
前記制御装置は、
読取開始指示が入力されたときに、前記給紙検知センサおよび前記排紙検知センサの検知に基づき、
原稿が前記供給トレイ上にあり、かつ、原稿が前記排出トレイ上にないと判断される場合は、前記搬送機構を駆動させて前記供給トレイ上の原稿の読取動作を開始するとともに、
原稿が前記供給トレイ上になく、かつ、原稿が前記排出トレイ上にないと判断される場合は、前記読取装置を走査させて前記原稿台上の原稿の読取動作を開始することを特徴とする請求項１に記載の原稿読取装置。
【請求項４】
前記供給トレイから前記排出トレイに搬送される原稿の枚数をカウントするカウンタを備え、
前記制御装置は、前記カウンタによるカウント値が潜り込み可能な範囲内において設定される所定値を超えた場合に前記搬送機構を駆動しないことを特徴とする請求項１から請求項３のいずれか１項に記載の原稿読取装置。
【請求項５】
前記制御装置は、前記排紙検知センサの検知に基づき原稿が前記排出トレイ上にないと判断される状態となった場合に前記カウンタのカウント値をリセットすることを特徴とする請求項４に記載の原稿読取装置。
【請求項６】
前記排紙検知センサは、前記排出トレイに排出された原稿が当接することで揺動するアクチュエータと、前記アクチュエータの揺動を検知する揺動検知センサとを有し、
前記アクチュエータは、揺動軸が前記排出トレイの原稿載置面よりも下方に配置され、原稿と当接する当接部が外部に露出するように配置されたことを特徴とする請求項１から請求項５のいずれか１項に記載の原稿読取装置。
【発明の詳細な説明】
【技術分野】
【０００１】
本発明は、原稿から画像を読み取る原稿読取装置に関する。
【背景技術】
【０００２】
原稿読取装置に用いられるＡＤＦ（Auto Document Feeder）などの原稿搬送装置の中には、既に排出トレイに排出された原稿の下に後の原稿を順に潜り込ませるように排出する潜り込み排紙を行う構成のものが知られている（例えば、特許文献１参照）。
【０００３】
【特許文献１】特開２００７−２３８２５２号公報
【発明の開示】
【発明が解決しようとする課題】
【０００４】
ところで、潜り込み排紙を行う構成では、排出トレイ上に排出された原稿の枚数が増えるにつれて摩擦抵抗が高まり、後の原稿は既に排出された原稿の下に潜り込みにくくなっていく。そして、最終的には、後の原稿が既に排出された原稿の下に潜り込むことができず、しわが発生したり、原稿詰まりが発生したりすることがあった。
【０００５】
そこで、供給トレイに載置可能な原稿の枚数を、排出トレイに排出可能（潜り込み可能）な原稿の最大枚数よりも少なくなるように規制してもよいが、原稿の搬送中に供給トレイ上に原稿を追加したり、排出トレイ上の原稿を取り除くのを忘れたまま原稿の搬送を開始したりした場合などにおいては、排出可能な原稿の最大枚数を超えることもあり、しわや原稿詰まりの発生を防止するには不十分であった。
【０００６】
そこで、本発明は、しわや原稿詰まりの発生を事前に防止することができるとともに、ユーザにとって使いやすい潜り込み排紙が可能な原稿読取装置を提供することを目的とする。
【課題を解決するための手段】
【０００７】
前記した目的を達成するため、本発明の原稿読取装置は、既に排出された原稿の下に後の原稿を順に潜り込ませるように排出することが可能な原稿読取装置であって、原稿を載置する供給トレイと、原稿が排出される排出トレイと、原稿を前記供給トレイから読取位置を経て前記排出トレイに搬送する搬送機構と、前記排出トレイに排出された原稿を検知する排紙検知センサと、前記搬送機構の駆動を制御して原稿の読取動作を制御する制御装置とを備え、前記制御装置は、読取開始指示が入力されたときに、前記排紙検知センサの検知に基づき、原稿が前記排出トレイ上にないと判断される場合は、原稿の読取動作を開始するとともに、原稿が前記排出トレイ上にあると判断される場合は、原稿の読取動作を開始しないことを特徴とする。
【０００８】
このように構成された原稿読取装置によれば、読取開始指示が入力されたときに、排紙検知センサの検知に基づき、原稿が排出トレイ上にあると判断される場合は、原稿の読取動作を開始しないので、排出トレイへの原稿の搬送も開始されないこととなる。これにより、しわや原稿詰まりの発生を事前に防止することができる。
【０００９】
また、原稿が排出トレイ上にあると判断される場合は、原稿の搬送を開始せず、原稿が排出トレイ上にないと判断される場合は、原稿の読取動作を開始すると装置自身が判断するので、ユーザは排出トレイ上の原稿の有無や枚数などを気にすることなく使用することができる。これにより、原稿読取装置をユーザにとって使いやすいものとすることができる。
【発明の効果】
【００１０】
本発明の原稿読取装置によれば、潜り込み排紙が可能な構成において、しわや原稿詰まりの発生を事前に防止することができるとともに、ユーザにとって使いやすいものとすることができる。
【発明を実施するための最良の形態】
【００１１】
次に、本発明の実施形態について、適宜図面を参照しながら詳細に説明する。参照する図面において、図１は本発明の実施形態に係る原稿読取装置の全体構成を示す図であり、図２（ａ）は排紙検知センサの構成を示す斜視図であり、（ｂ）は排紙検知センサの動作を説明するための図であり、図３は原稿搬送部の拡大図である。
【００１２】
ここで、以下の説明において、「搬送方向」とは原稿が供給トレイ１０から排出トレイ２０に向けて搬送される方向（図１の矢印方向）であり、「排出方向」とは原稿が原稿搬送部３０から排出トレイ２０に排出される方向である。また、搬送方向・搬出方向における上流および下流をそれぞれ単に「上流」および「下流」といい、原稿の搬送方向・排出方向に直交する方向（図１の手前・奥側の方向）を「幅方向」という。
【００１３】
図１に示すように、原稿読取装置１は、公知の構成を有するフラットベッドスキャナ２と、原稿を読取位置Ｒに搬送する原稿搬送装置３と、原稿の読取動作を制御する制御装置４と、ユーザが操作する操作部５と、ユーザにメッセージを報知する報知手段の一例としての表示部６とを主に備えている。
【００１４】
＜フラットベッドスキャナの構成＞
フラットベッドスキャナ２は、原稿読取装置１の下部に配置され、原稿を載置する原稿台の一例としてのプラテンガラス２Ｇと、読取装置の一例としてのイメージセンサ２Ｓとを主に備えている。このフラットベッドスキャナ２では、イメージセンサ２Ｓによって、プラテンガラス２Ｇに載置された原稿を走査しながら読み取ることができるとともに、読取位置Ｒに搬送された原稿を読み取ることができる。
【００１５】
＜原稿搬送装置の構成＞
原稿搬送装置３は、原稿を読取位置Ｒに搬送して、原稿の片面または両面を読み取り可能とする装置であり、フラットベッドスキャナ２の上方に配置され、プラテンガラス２Ｇに対して開閉可能に設けられている。この原稿搬送装置３は、原稿を載置する供給トレイ１０と、原稿が排出される排出トレイ２０と、原稿を搬送する原稿搬送部３０とを主に備えている。
【００１６】
［排出トレイの構成］
排出トレイ２０は、供給トレイ１０の上方に配置され、固定トレイ２１と、固定トレイ２１の上流側に配置されたフラップ２２とから主に構成され、排紙検知センサ２３が設けられている。
固定トレイ２１は、原稿搬送部３０に対して変位しないように固定されている。
【００１７】
フラップ２２は、下流側に設けられた揺動軸２２Ａを中心として、固定トレイ２１に対して上下に揺動可能となるように、原稿搬送装置３の本体フレーム３０Ａに支持されている。このフラップ２２は、上流側の先端部に、下方に屈曲した屈曲部２２Ｃが形成されている。また、フラップ２２の上流側の先端部には、カム２４が係合している。
【００１８】
カム２４は、フラップ２２の下方で幅方向両端に渡って延びる押上バー２４Ａと、フラップ２２の両側に設けられた軸部２４Ｂと、押上バー２４Ａの両端と各軸部２４Ｂを連結する連結部２４Ｃとから構成されている。各軸部２４Ｂは本体フレーム３０Ａに軸支されている。
【００１９】
このようなカム２４は、制御装置４により制御される図示しない駆動手段によって正逆方向に回動することで、フラップ２２を、図１に示す下方にある状態と、図５に示す上方にある状態との間で揺動させる。これによって、原稿の排出モードを後述する積層モードと潜込モードとに切り替えることができる。
【００２０】
排紙検知センサ２３は、排出トレイ２０に排出された原稿を検知するセンサであり、排出トレイ２０のうち、揺動軸２２Ａよりも下流側の固定トレイ２１に設けられている。この排紙検知センサ２３は、図２（ａ）に示すように、揺動検知センサの一例としての光センサ２５と、揺動可能に構成されたアクチュエータ２６とから主に構成されている。
【００２１】
光センサ２５は、アクチュエータ２６の揺動を検知するセンサであり、光を出射する発光部２５Ａと、発光部２５Ａから出射された光を受光する受光部２５Ｂとを有している。この光センサ２５は、受光部２５Ｂでの光の検知状態の変化を所定の信号として制御装置４に出力する。
【００２２】
アクチュエータ２６は、揺動軸２６Ａと、当接部２６Ｂと、遮蔽部２６Ｃとから構成されている。
揺動軸２６Ａは、排出トレイ２０（固定トレイ２１）の原稿載置面２１Ａよりも下方に配置され（図１参照）、固定トレイ２１に対して回動可能に取り付けられている。
【００２３】
当接部２６Ｂは、排出トレイ２０に排出される原稿と当接する部分であり、揺動軸２６Ａの略中央に設けられている。この当接部２６Ｂは、通常時には、図示しないバネやおもりなどの作用によって一部が原稿載置面２１Ａから突出して外部に露出している（図１，図２（ａ）参照）。
【００２４】
遮蔽部２６Ｃは、揺動軸２６Ａの一端に設けられた板状の部材であり、通常時には、光センサ２５の発光部２５Ａと受光部２５Ｂとの間にあって、発光部２５Ａから出射される光を遮蔽している。
【００２５】
図２（ｂ）に示すように、排紙検知センサ２３では、排出トレイ２０に排出される原稿Ｍが当接部２６Ｂに当接することで、当接部２６Ｂが原稿の重みによって押し下げられて揺動する。これに連動して、遮蔽部２６Ｃが発光部２５Ａと受光部２５Ｂとの間から退避するので、受光部２５Ｂでの光の検知状態が変化する。このとき、光センサ２５は所定の信号を制御装置４に出力する。
【００２６】
［原稿搬送部の構成］
図３に示すように、原稿搬送部３０には、原稿を供給トレイ１０から排出トレイ２０に案内する搬送経路３１と、原稿をスイッチバックさせるための反転経路３２とが形成され、給紙検知センサ１３と、通過検知センサ３３と、カウンタ３４とが設けられている。なお、給紙検知センサ１３と通過検知センサ３３は、前記した排紙検知センサ２３と同様の構成を有するので構成についての詳細な説明を省略する。
【００２７】
搬送経路３１は、供給トレイ１０から略水平に延びる吸入路３１Ａと、吸入路３１Ａから斜め下方に向かって延びる傾斜路３１Ｂと、傾斜路３１Ｂから略水平に延びる水平路３１Ｃと、水平路３１Ｃから上方に向かって弧状に延びる湾曲路３１Ｄと、湾曲路３１Ｄから排出トレイ２０（外部）に向かって斜め上方に延びる排出路３１Ｅとから構成されている。搬送経路３１のうち、水平路３１Ｃの下側は、プラテンガラス２Ｇを介してイメージセンサ２Ｓと対向する読取位置Ｒとなっている。
【００２８】
搬送経路３１には、原稿を供給トレイ１０から読取位置Ｒを経て排出トレイ２０に搬送する搬送機構が設けられている。搬送機構は、吸入路３１Ａに設けられた吸入ローラ４１、吸入ニップ片４２、分離ローラ４３および分離ニップ片４４と、傾斜路３１Ｂに設けられた第１搬送ローラ４５と、湾曲路３１Ｄに設けられた第２搬送ローラ４７と、排出路３１Ｅに設けられた排紙ローラ４９とから主に構成されている。
【００２９】
吸入ローラ４１と吸入ニップ片４２は、供給トレイ１０上の原稿を分離ローラ４３に寄せる部材であり、分離ローラ４３と分離ニップ片４４は、原稿を１枚ずつ分離して読取位置Ｒに送り出す部材である。また、第１搬送ローラ４５と第２搬送ローラ４７は、搬送経路３１において原稿を搬送するローラであり、排紙ローラ４９は、読取が終了した原稿を排出トレイ２０に排出するローラである。
【００３０】
給紙検知センサ１３は、供給トレイ１０に載置された原稿を検知するセンサであり、図３に示す通常時には、当接部１６Ｂが、吸入ローラ４１と分離ローラ４３との間において、吸入路３１Ａから突出している。この給紙検知センサ１３では、供給トレイ１０に原稿がセット（載置）されると、当接部１６Ｂが原稿の重みによって押し下げられて揺動することで、図示しない光センサの受光部での光の検知状態が変化する。このとき、光センサは所定の信号を制御装置４に出力する。
【００３１】
通過検知センサ３３は、供給トレイ１０から排出トレイ２０に搬送される原稿の通過を検知するセンサであり、図３に示す通常時には、揺動可能な当接部３６Ｂが傾斜路３１Ｂから突出している。詳細な説明は省略するが、原稿読取装置１では、通過検知センサ３３の検知に基づいて、イメージセンサ２Ｓの読取開始の制御や、搬送経路３１内の原稿詰まりの判断などを行っている。
【００３２】
カウンタ３４は、供給トレイ１０から排出トレイ２０に搬送される原稿の枚数をカウントするものであり、原稿搬送部３０内の適宜な位置に配置されている。このカウンタ３４は、通過検知センサ３３の検知に基づいて原稿の枚数をカウントする公知のカウンタであって、カウントした原稿の枚数（カウント値）を制御装置４に出力する。なお、本実施形態では、説明の便宜のため、カウンタ３４を制御装置４とは別に図示しているが、カウンタ３４は制御装置４内の構成の一部であってもよい。
【００３３】
反転経路３２は、湾曲路３１Ｄから分岐して外部（図３の右側）に向かって延びる第１反転経路３２Ａと、第１反転経路３２Ａの略中央から分岐して斜め下方に延び、傾斜路３１Ｂに合流する第２反転経路３２Ｂとから構成されている。この反転経路３２には、スイッチバック時に原稿を搬送したり、ガイドしたりする反転機構が設けられている。
【００３４】
反転機構は、第１反転経路３２Ａに設けられた第３搬送ローラ５１およびスイッチバックローラ５３と、湾曲路３１Ｄと第１反転経路３２Ａとの分岐部分に設けられた第１ガイド部材６１と、第１反転経路３２Ａと第２反転経路３２Ｂとの分岐部分に設けられた第２ガイド部材６２とから構成されている。
【００３５】
第３搬送ローラ５１は、第１反転経路３２Ａにおいて原稿を搬送するローラであり、スイッチバックローラ５３は、原稿の一部を外部に排出するローラである。第１ガイド部材６１と第２ガイド部材６２は、揺動可能に構成され、原稿が搬送される経路を切り替える部材である。
【００３６】
＜制御装置・操作部・表示部の構成＞
制御装置４は、図示しないＣＰＵ、ＲＡＭ、ＲＯＭ、入出力回路などを備えて構成されており、原稿読取装置１内の適宜な位置に配置されている。この制御装置４は、ＲＯＭに記憶されたプログラムやデータ、給紙検知センサ１３や排紙検知センサ２３の検知状態の変化、カウンタ３４や操作部５からの出力などに基づいて、搬送機構や反転機構、イメージセンサ２Ｓなどの駆動を制御して原稿の読取動作を制御するとともに、表示部６にユーザに対するメッセージを表示させる。制御装置４による読取動作の制御については後述する。
【００３７】
本実施形態において、制御装置４は、排紙検知センサ２３の遮蔽部２６Ｃが発光部２５Ａと受光部２５Ｂとの間にあって、発光部２５Ａから出射される光を遮蔽しているとき（図２（ａ）参照）は、原稿が排出トレイ２０上にないと判断する。一方、遮蔽部２６Ｃが発光部２５Ａと受光部２５Ｂとの間から退避して、受光部２５Ｂが発光部２５Ａから出射される光を受光しているとき（図２（ｂ）参照）は、原稿が排出トレイ２０上にあると判断する。また、制御装置４は、排紙検知センサ２３と同様の方法で、給紙検知センサ１３の検知に基づいて原稿が供給トレイ１０上にあるか否かを判断する。
【００３８】
操作部５は、ユーザが原稿読取装置１を操作する構成であり、本実施形態では複数の操作ボタン（図１参照）から構成されている。ユーザは、操作部５を操作することで、読取開始の指示（原稿搬送装置３にとっては搬送開始の指示）などを入力したり、片面読取（潜込モード）か両面読取（積層モード）かを選択したりすることができる。
【００３９】
表示部６は、ユーザに対するメッセージ（文字や記号など）を表示（報知）する液晶ディスプレイ（図１参照）である。この表示部６は、ユーザに対して、装置の現在の状況を知らせるメッセージやエラーの内容を知らせるメッセージ、ユーザの選択（操作）を促すメッセージなどを表示する。
【００４０】
＜原稿読取装置の動作＞
以上のように構成された原稿読取装置１の動作について説明する。図４（ａ）および（ｂ）は両面読取時の動作を説明するための図であり、図５は片面読取時の動作を説明するための図である。
【００４１】
［両面読取時の動作］
図４（ａ）に示すように、両面読取時には、原稿Ｍ２は、表の読取面Ｐ３を下向きにし、裏の読取面Ｐ４を上向きにして供給トレイ１０上にセットされる。また、ユーザが操作部５を操作して両面読取を選択すると、フラップ２２が下方に、第１ガイド部材６１が上方に、第２ガイド部材６２が下方に、それぞれ揺動する。
【００４２】
ユーザが読取開始の指示を入力すると、供給トレイ１０上の原稿Ｍ２は、分離ローラ４３や第１搬送ローラ４５などによって読取位置Ｒに搬送されて読取面Ｐ３が読み取られる。その後、第２搬送ローラ４７によって湾曲路３１Ｄを搬送され、第１ガイド部材６１の下面に沿って第１反転経路３２Ａに入って、第３搬送ローラ５１やスイッチバックローラ５３によって第１反転経路３２Ａを外部に向けて搬送される。
【００４３】
原稿Ｍ２のほぼ全部がスイッチバックローラ５３から排出されると、スイッチバックローラ５３は公知の制御によって一時的に停止する。このとき、図４（ｂ）に示すように、原稿Ｍ２は、表の読取面Ｐ３を上向きにし、裏の読取面Ｐ４を下向きにした状態となる。また、第１ガイド部材６１が下方に、第２ガイド部材６２が上方に、それぞれ揺動して原稿の経路を切り替える。
【００４４】
そして、スイッチバックローラ５３が反転することで、原稿Ｍ２は、第１反転経路３２Ａに引き戻され、第２ガイド部材６２の下面に沿って第２反転経路３２Ｂに入り、再び傾斜路３１Ｂに搬送され、第１搬送ローラ４５によって読取位置Ｒに搬送されて読取面Ｐ４が読み取られる。その後、第２搬送ローラ４７と排紙ローラ４９によって湾曲路３１Ｄと排出路３１Ｅを搬送され、表の読取面Ｐ３を下向きにし、裏の読取面Ｐ４を上向きにした状態で排出トレイ２０上に排出される。
【００４５】
ここで、フラップ２２が下方にある状態では、フラップ２２の屈曲部２２Ｃが排紙ローラ４９よりも下方に位置しているので、屈曲部２２Ｃ上に載っている既に排出された原稿Ｍ１の後端は排紙ローラ４９よりも下方に位置することとなる。これにより、後に排出される原稿Ｍ２は、既に排出トレイ２０に排出された原稿Ｍ１の上に積層するように排出される。このときの排出モードを積層モードという。
【００４６】
積層モードでは、原稿は、表の読取面を下向きにし、裏の読取面を上向きにして、既に排出された原稿の上に順に積層するように排出されるので、原稿Ｍ１，Ｍ２のページ順を、下から順にＰ１，Ｐ２，Ｐ３，Ｐ４と整列させることができる。この順番は、原稿Ｍ１，Ｍ２を供給トレイ１０に載置したときのページ順と同じである。
【００４７】
［片面読取時の動作］
図５に示すように、片面読取時には、原稿Ｍ２は、読取面Ｐ２を下向きにして供給トレイ１０上にセットされる。また、ユーザが操作部５を操作して片面読取を選択すると、フラップ２２が上方に、第１ガイド部材６１が下方に、それぞれ揺動する。
【００４８】
ユーザが読取開始の指示を入力すると、供給トレイ１０上の原稿Ｍ２は、分離ローラ４３や第１搬送ローラ４５などによって読取位置Ｒに搬送されて読取面Ｐ２が読み取られる。その後、第２搬送ローラ４７と排紙ローラ４９によって湾曲路３１Ｄと排出路３１Ｅを搬送され、読取面Ｐ２を上向きにした状態で排出トレイ２０上に排出される。
【００４９】
ここで、フラップ２２が上方にある状態では、フラップ２２の屈曲部２２Ｃが一対の排紙ローラ４９がニップする位置よりも上方に位置しているので、フラップ２２上に載っている既に排出された原稿Ｍ１の後端は一対の排紙ローラ４９がニップする位置よりも上方に位置することとなる。これにより、後に排出される原稿Ｍ２は、既に排出トレイ２０に排出された原稿Ｍ１の後端に下方から当接した後、原稿Ｍ１の下に潜り込むように排出される。このときの排出モードを潜込モードという。
【００５０】
潜込モードでは、原稿は、読取面を上向きにして、既に排出された原稿の下に順に潜り込むように排出されるので、原稿Ｍ１，Ｍ２のページ順を、上から順にＰ１，Ｐ２と整列させることができる。この順番は、原稿Ｍ１，Ｍ２を供給トレイ１０に載置したときのページ順と同じである。
【００５１】
［制御装置による原稿読取制御］
次に、本発明の特徴部分である潜込モード時における制御装置４による原稿読取制御について説明する。図６は潜込モード時における制御装置による原稿読取制御のフローチャートである。
【００５２】
ここで、以下の説明において、「所定値」は排出トレイ２０に排出される原稿が既に排出された原稿の下に潜り込み可能な範囲において設定される値であり、本実施形態においては、潜込モードで排出トレイ２０上に排出可能な原稿の枚数に相当する。この所定値は、予め設定され、制御装置４のＲＯＭに記憶されている。本実施形態では、潜込モードで排出トレイ２０上に排出可能な原稿の枚数を３５枚（所定値を３５）と設定した例について説明するが、所定値は３５に限定されず、適宜設定することができる。
【００５３】
なお、図６において、「検知センサＯＮ」とは、光センサの受光部が発光部から出射される光を受光している状態である。したがって、「検知センサＯＮ」が、「Ｙｅｓ」とは原稿がトレイ上にある場合であり、「Ｎｏ」とは原稿がトレイ上にない場合である。また、「ＦＢ読取」とはプラテンガラス２Ｇに載置された原稿を読み取る場合であり、「ＡＤＦ読取」は原稿搬送装置３によって供給トレイ１０から読取位置Ｒに搬送された原稿を読み取る場合である。
【００５４】
制御装置４は、図６に示す処理を連続的に実行している。
まず、ユーザが操作する操作部５から読取開始の指示が入力される（Ｓ１１１，Ｙｅｓ）と、制御装置４は、給紙検知センサ１３の検知に基づいて原稿が供給トレイ１０上にある（セットされている）か否かを判断する（Ｓ１１２）。
【００５５】
原稿が供給トレイ１０上にあると判断した場合（Ｓ１１２，Ｙｅｓ）、制御装置４は、排紙検知センサ２３の検知に基づいて原稿が排出トレイ２０上にあるか否かを判断する（Ｓ１１３）。
【００５６】
原稿が排出トレイ２０上にないと判断した場合（Ｓ１１３，Ｎｏ）、制御装置４は、搬送機構を駆動させ、供給トレイ１０上の原稿を読取位置Ｒに搬送して原稿の読取動作（ＡＤＦ読取）を開始する（Ｓ１１４）。そして、カウンタ３４は、原稿の枚数をカウントアップする（カウント値ｎに１を加える）（Ｓ１１５）。なお、読み取りが終了した原稿は搬送機構によって排出トレイ２０上に排出されるので、ＡＤＦ読取が終了すると、原稿が排出トレイ２０上にある状態（排紙検知センサＯＮ）となる。
【００５７】
その後、制御装置４は、給紙検知センサ１３の検知に基づいて原稿が供給トレイ１０上にあるか否かを再び判断する（Ｓ１１６）。原稿が供給トレイ１０上にないと判断した場合（Ｓ１１６，Ｎｏ）は、読み取るべき原稿が供給トレイ１０上にはないということなので、制御装置４は、搬送機構（少なくとも吸入ローラ４１および分離ローラ４３）を駆動せず（ＡＤＦ読取を開始せず）に、ステップＳ１０１に進む。一方、原稿が供給トレイ１０上にあると判断した場合（Ｓ１１６，Ｙｅｓ）は、カウンタ３４によるカウント値ｎが所定値である３５を超えたか否かを判断する（Ｓ１１７）。
【００５８】
カウント値ｎが３５を超えた場合（Ｓ１１７，Ｙｅｓ）、制御装置４は、搬送機構（少なくとも吸入ローラ４１および分離ローラ４３）を駆動せず（ＡＤＦ読取を開始せず）に、ステップＳ１０１に進む。一方、カウント値ｎが３５を超えていない場合（Ｓ１１７，Ｎｏ）、制御装置４は、ステップＳ１１４に戻って、カウント値ｎが３５を超えるまで、ＡＤＦ読取を実行する（すなわち、ステップＳ１１４〜Ｓ１１７を繰り返す）。
【００５９】
ステップＳ１１３において、原稿が排出トレイ２０上にあると判断した場合（Ｓ１１３，Ｙｅｓ）、制御装置４は、搬送機構（少なくとも吸入ローラ４１および分離ローラ４３）を駆動させない。すなわち、制御装置４は、原稿の読取動作（ＡＤＦ読取）を開始しない。なお、このとき、表示部６に、原稿が排出トレイ２０上にある旨のメッセージなどを表示させるようにしてもよい。この後、制御装置４は、ステップＳ１０１に進む。
【００６０】
ステップＳ１１２において、原稿が供給トレイ１０上にないと判断した場合（Ｓ１１２，Ｎｏ）、原稿が供給トレイ１０上にセットされていないということなので、制御装置４は、次に、排紙検知センサ２３の検知に基づいて原稿が排出トレイ２０上にあるか否かを判断する（Ｓ１２３）。原稿が排出トレイ２０上にないと判断した場合（Ｓ１２３，Ｎｏ）、制御装置４は、イメージセンサ２Ｓを走査させて、プラテンガラス２Ｇ上に載置された原稿の読取動作（ＦＢ読取）を開始する（Ｓ１２４）。ＦＢ読取が終了したら、制御装置４は、ステップＳ１０１に進む。
【００６１】
一方、原稿が排出トレイ２０上にあると判断した場合（Ｓ１２３，Ｙｅｓ）は、原稿が、供給トレイ１０上にセットされておらず、かつ、排出トレイ２０上にあるということなので、例えば、ユーザが間違えて原稿を排出トレイ２０にセットしたという可能性がある。また、前回使用したユーザが排出トレイ２０上の原稿を取り除くのを忘れただけであって、現在使用しているユーザはＦＢ読取を実行したいという状況である可能性もある。
【００６２】
そこで、制御装置４は、原稿の読取動作を開始しないで、表示部６に、原稿が排出トレイ２０上にある旨のメッセージを表示させ（Ｓ１２５）、ステップＳ１１１に進む。なお、「原稿が排出トレイ上にある旨のメッセージ」は、原稿が排出トレイ上にあるという事実をユーザに報知するだけのメッセージであってもよいし、「コピーを続けますか？」などのようなユーザの選択（操作）を促すメッセージを加えたものであってもよい。
【００６３】
その後、原稿を供給トレイ１０に正しくセットし直したユーザや、ＦＢ読取を実行したいユーザが、操作部５を操作して読取開始（読取続行）の指示を入力した場合（Ｓ１１１，Ｙｅｓ）は、制御装置４は、前記したステップＳ１１２以降の処理を実行する。
【００６４】
ステップＳ１０１では、制御装置４は、排紙検知センサ２３の検知に基づいて原稿が排出トレイ２０上にあるか否かを確認する。原稿が排出トレイ２０上にあると判断される場合（Ｓ１０１，Ｙｅｓ）、制御装置４は、ステップＳ１１１に進んで、読取開始の指示が入力されるまで、定期的に原稿が排出トレイ２０上にあるか否かを確認する（Ｓ１１１，Ｎｏ）。
【００６５】
原稿が排出トレイ２０上にないと判断される場合（Ｓ１０１，Ｎｏ）は、原稿が排出トレイ２０から取り除かれたということなので、制御装置４は、カウンタ３４のカウント値ｎをリセットする（ｎ＝０とする）（Ｓ１０２）。その後、制御装置４は、ステップＳ１１１に進んで、読取開始の指示が入力されるまで、定期的に原稿が排出トレイ２０上にあるか否かを確認する（Ｓ１１１，Ｎｏ）。
【００６６】
制御装置４が、ステップＳ１１１，Ｓ１０１，Ｓ１０２の処理を繰り返している間、原稿読取装置１は待機状態となっている。なお、ステップＳ１０１での処理は、ステップＳ１０１に進んだ直後に実行するようにしてもよいし、ステップＳ１０１に進んだ後、所定時間経過後に実行するようにしてもよい。また、ステップＳ１１３において、原稿が排出トレイ２０上にあると判断した場合（Ｓ１１３，Ｙｅｓ）は、Ｓ１１１に進むようにしてもよい。
【００６７】
以上によれば、本実施形態において以下のような効果を得ることができる。
読取開始の指示が入力されたときに、排紙検知センサ２３の検知に基づいて原稿が排出トレイ２０上にあると判断される場合は、原稿の読取動作を開始しないので、排出トレイ２０への原稿の搬送も開始されないこととなる。これにより、潜込モード時に問題となるしわや原稿詰まりの発生を事前に防止することができる。
【００６８】
また、原稿が排出トレイ２０上にあると判断される場合は、原稿の搬送を開始せず、原稿が排出トレイ２０上にないと判断される場合は、原稿の読取動作を開始すると装置自身が判断するので、ユーザは排出トレイ２０上の原稿の有無や枚数などを気にすることなく使用することができる。これにより、原稿読取装置１をユーザにとって使いやすいものとすることができる。
【００６９】
制御装置４は、原稿が供給トレイ１０上にあり、かつ、原稿が排出トレイ２０上にあると判断される場合は、原稿の読取動作を開始しないので、しわや原稿詰まりの発生を事前に防止することができる。また、原稿が供給トレイ１０上になく、かつ、原稿が排出トレイ２０上にあると判断される場合は、表示部６に原稿が排出トレイ２０上にある旨のメッセージを表示させるので、ユーザは読取動作が開始されない原因（原稿が排出トレイ２０上にあること）にいち早く気付くことができる。これにより、原稿読取装置１をユーザにとってより使いやすいものとすることができる。
【００７０】
制御装置４は、原稿が供給トレイ１０上にあり、かつ、原稿が排出トレイ２０上にないと判断される場合は、ＡＤＦ読取を開始し、原稿が供給トレイ１０上になく、かつ、原稿が排出トレイ２０上にないと判断される場合は、ＦＢ読取を開始するので、ユーザ自身が操作（選択）する手間を省いたり、選択の間違いを防止したりすることができる。これにより、原稿読取装置１をユーザにとってより使いやすいものとすることができる。
【００７１】
制御装置４は、カウント値ｎが所定値を超えた場合に搬送機構を駆動しない（ＡＤＦ読取を開始しない）ので、潜込モード時に問題となるしわや原稿詰まりの発生を事前に防止することができる。また、カウント値ｎが所定値を超えるまでは、ＡＤＦ読取を行うことができるので、ユーザは排出トレイ２０上の原稿の枚数を気にすることなく装置を使用することができる。これにより、原稿読取装置１をユーザにとってより使いやすいものとすることができる。
【００７２】
制御装置４は、原稿が排出トレイ２０上にないと判断される状態となった場合にカウンタ３４のカウント値ｎをリセットするので、ユーザ自身が操作してカウンタ３４をリセットする手間を省くことができる。また、ユーザは排出トレイ２０上の原稿の枚数を気にすることなく使用することができる。これにより、原稿読取装置１をユーザにとってより使いやすいものとすることができる。
【００７３】
排紙検知センサ２３のアクチュエータ２６は、原稿と当接する当接部２６Ｂが外部に露出するように配置されているので、ユーザは外部から排紙検知センサ２３の位置を容易に視認して認識することができる。これにより、ユーザは、原稿が排紙検知センサ２３の位置にあるか否かを容易に確認することができるので、原稿読取装置１をユーザにとってより使いやすいものとすることができる。
【００７４】
排紙検知センサ２３は、排出トレイ２０のうち、フラップ２２の揺動軸２２Ａよりも下流側の変位しない固定トレイ２１に設けられているので、上下に揺動するフラップ２２に設けられた場合と比較して、誤検知や故障の可能性を低減させることができる。これにより、原稿読取装置１の誤動作を低減させることができるので、原稿読取装置１をユーザにとってより使いやすいものとすることができる。
【００７５】
以上、本発明の実施形態について説明したが、本発明は前記した実施形態に限定されるものではない。具体的な構成については、本発明の趣旨を逸脱しない範囲で適宜変更が可能である。
【００７６】
前記した実施形態では、原稿の排出モードを積層モードと潜込モードとに切り替えることが可能な原稿読取装置１に本発明を適用した例を示したが、これに限定されるものではない。例えば、潜り込み排紙のみを行う原稿読取装置に本発明を適用してもよい。
【００７７】
前記した実施形態では、報知手段の一例として、文字や記号などを表示する表示部６（液晶ディスプレイ）を採用した例を示したが、本発明はこれに限定されるものではない。例えば、音でユーザにメッセージを報知するスピーカや、光の点滅でユーザにメッセージを報知するランプなどを採用してもよい。また、液晶ディスプレイ、スピーカ、ランプなどを２つ以上組み合わせた報知手段を採用してもよい。
【００７８】
前記した実施形態では、読取開始の指示を入力する構成として、複数の操作ボタンから構成された操作部５を採用した例を示したが、本発明はこれに限定されず、例えば、報知手段を兼ねるタッチパネルを採用してもよい。また、読取開始の指示を入力する構成は、原稿読取装置１自体に設けられるものに限定されず、例えば、原稿読取装置１の外部に設けられたパーソナルコンピュータやリモートコントローラーなどであってもよい。
【００７９】
前記した実施形態では、排出トレイ２０が供給トレイ１０の上方に配置される原稿読取装置１に本発明を適用した例を示したが、これに限定されるものではない。例えば、排出トレイが供給トレイの下方に配置される原稿読取装置に本発明を適用してもよい。
【００８０】
前記した実施形態で示した各検知センサの構成は一例であり、本発明はこれに限定されず、広く公知の検知センサを使用することができる。また、各検知センサの構成はそれぞれ異なっていてもよい。
【００８１】
前記した実施形態で示した搬送機構や反転機構の構成は一例であり、本発明はこれに限定されず、例えば、各ローラの数や配置などは適宜変更することができる。また、前記した実施形態で示した搬送経路３１や反転経路３２の構成（断面形状）は一例であり、供給トレイと排出トレイとの位置関係、原稿搬送部の形状や大きさなどにより適宜変更することができる。
【図面の簡単な説明】
【００８２】
【図１】本発明の実施形態に係る原稿読取装置の全体構成を示す図である。
【図２】（ａ）は排紙検知センサの構成を示す斜視図であり、（ｂ）は排紙検知センサの動作を説明するための図である。
【図３】原稿搬送部の拡大図である。
【図４】（ａ）および（ｂ）は両面読取時の動作を説明するための図である。
【図５】片面読取時の動作を説明するための図である。
【図６】潜込モード時における制御装置による原稿読取制御のフローチャートである。
【符号の説明】
【００８３】
１      原稿読取装置
２Ｇ    プラテンガラス
２Ｓ    イメージセンサ
４      制御装置
５      操作部
６      表示部
１０    供給トレイ
１３    給紙検知センサ
２０    排出トレイ
２１    固定トレイ
２１Ａ  原稿載置面
２３    排紙検知センサ
２５    光センサ
２６    アクチュエータ
２６Ａ  揺動軸
２６Ｂ  当接部
３４    カウンタ
４１    吸入ローラ
４２    吸入ニップ片
４３    分離ローラ
４４    分離ニップ片
４５    第１搬送ローラ
４７    第２搬送ローラ
４９    排紙ローラ
Ｍ      原稿
Ｍ１    原稿
Ｍ２    原稿
Ｒ      読取位置
【図１】
2010076899.tif 000003
【図２】
2010076899.tif 000004
【図３】
2010076899.tif 000005
【図４】
2010076899.tif 000006
【図５】
2010076899.tif 000007
【図６】
2010076899.tif 000008